(57)【特許請求の範囲】
【請求項１】
ペン芯が外芯と内芯とを有し、前記外芯に形成した貫通孔へ前記内芯が挿着された状態で、前記外芯の貫通孔と前記内芯との間に空気溝が形成され、前記内芯の縦溝と前記外芯の縦溝とペンの切割りとでインキ溝が形成される二重ペン芯構造の万年筆であって、前記内芯の前方における前記ペンの反対側に膨出部を形成して前記空気溝の流路を狭くする絞り部を設け、前記内芯に前記インキ溝と前記絞り部とを連通させる連絡溝を設けたことを特徴とする二重ペン芯構造の万年筆。
【発明の詳細な説明】
【技術分野】
【０００１】
本発明は、ペン芯を外芯と内芯とで構成した二重ペン芯構造の万年筆に関する。
【背景技術】
【０００２】
従来より、一般的な万年筆の構造は、軸筒内部に設けたインキタンク内のインキが、軸筒の前方に装着したペン芯によってペンへ供給され、ペン先にて筆記を行うことができる構造になっている。この構造では、ペン芯に設けたインキ溝の毛管力でインキがペン芯の前方へ流動し、インキ溝に隣接させたペンの切割りの毛管力によって、インキがペン先まで流動して筆記が可能となる。
【０００３】
ペン芯の構造に関しては様々な形態があり、その中でも、実公昭３１−６８１５号公報や特許第２８５８７４０号公報にあるように、外芯と内芯とで二重ペン芯を構成する万年筆では、インキの吸入を行うための経路が外芯と内芯との間に設けてあることから、インキ吸入の際に、インキ瓶のインキに対してペン芯の前端部に形成されたインキ溝及び空気溝を浸けることでインキの吸入を行うことが可能であり、一般的なペン芯のように、筆記端から軸筒の先端部までインキに浸けて吸入を行う構造に比べ、軸筒を汚さないですむことから、インキ吸入の度にインキで汚れた軸筒を拭き取る必要がなく、特にインキ色が沈着し易い透明や薄い色の軸筒の万年筆において適している。
【０００４】
従来の万年筆のペン芯は、ペンにインキタンク内のインキを供給するインキ溝と、筆記により消費されたインキ分の空気をインキタンクに送る空気溝とを有しており、インキのボタ落ちを防止するように互いが関係している。
具体的に図７から図１１を用いて従来のペン芯構造について説明を行うと、ペン芯６にインキ１１が含まれていない状況でペン先を下に向けた際には、図９に示すように、インキタンク８内のインキ１１は、重力とインキ溝９の毛管力によって図９に示すようにインキ溝９に流れ込み、インキ１１がペン７のペン先７ｂまで達することで毛管力が働かなくなる。その後、図１０に示すように、インキタンク８内のインキ１１は、空気溝１０にも流れ込み、空気溝１０の巾が狭められた絞り部１０ｄまで達し、インキ溝９におけるペン先７ｂから絞り部１０ｄの高さ迄のインキ１１ａに働く重力と、空気溝１０の絞り部１０ｄに働く毛管力とが一致すると共に、インキ溝９における絞り部１０ｄの高さから上方のインキ１１ｂの重さと、空気溝１０における絞り部１０ｄの上方のインキ１１ｃの重さとが一致するよう該空気溝１０にインキ１１が流れ込み、インキ１１のボタ落ちがしないようインキ溝９と空気溝１０との安定した関係がとれる。
【０００５】
ところで、従来の二重ペン芯構造の万年筆１００では、絞り部１０ｄが、クランク状に形成された空気溝１０において前後に延びる縦溝１０ａ，１０ｂを連結する横溝１０ｃに形成してあることから、ペン先７ｂを下に向けた状態で落下などの衝撃が万年筆１００に掛かった際に、絞り部１０ｄに近いペン先７ｂ側にある空気溝１０の縦溝１０ａから飛び出してしまう場合があった。また、ペン芯６にインキ１１が含まれていない状態から筆記を開始する場合、インキ１１がインキ溝９へ流れ込んだ後に、インキ１１が空気溝１０へ流れ込む際に、密封されたインキタンク８内が負圧にならぬよう、空気溝１０内の空気１２がインキタンク１１内に入りながら同時に該インキタンク８内のインキ１１が空気溝１０に入り込むことから時間が掛かってしまい、空気溝１０にインキ１１が入りきらない状態で万年筆１００を振るなどの衝撃が加えられた場合には、インキ溝９側のインキ１１が飛び出してしまうことがあり、空気溝１０にインキ１１が入りきらない状態で筆記を行った場合には、インキ１１がボタ落ちして筆跡が滲んでしまうことがあった。
【先行技術文献】
【特許文献】
【０００６】
【特許文献１】実公昭３１−６８１５号公報
【特許文献２】特許第２８５８７４０号公報
【発明の概要】
【発明が解決しようとする課題】
【０００７】
本発明では、インキのボタ落ちや飛び出しを防止することができる二重ペン芯構造の万年筆を得ることを目的とする。
【課題を解決するための手段】
【０００８】
本発明は、
「ペン芯が外芯と内芯とを有し、前記外芯に形成した貫通孔へ前記内芯が挿着された状態で、前記外芯の貫通孔と前記内芯との間に空気溝が形成され、前記内芯の縦溝と前記外芯の縦溝とペンの切割りとでインキ溝が形成される二重ペン芯構造の万年筆であって、前記内芯の前方における前記ペンの反対側に膨出部を形成して前記空気溝の流路を狭くする絞り部を設け、前記内芯に前記インキ溝と前記絞り部とを連通させる連絡溝を設けたことを特徴とする二重ペン芯構造の万年筆。」である。
【０００９】
本発明の二重ペン芯構造の万年筆は、インキ溝、連絡溝、絞り部、空気溝の順で毛管力を強く設定することで、ペン芯にインキが含まれていない状態から筆記を開始する際に、インキが、インキ溝に流れ込んだ後に、連絡溝、絞り部、空気溝の順で流れるようになる。
したがって、連絡溝から空気溝にインキが流れ込むのに伴い、空気溝の空気がインキにより押し上げられるようにインキタンク内へ移動するので、インキが瞬時にインキ溝と空気溝に流れ込んで安定した状態を構成することができる。
尚、インキ溝におけるペン先から絞り部の高さ迄のインキに働く重力と、空気溝の絞り部に働く毛管力とを一致させると共に、インキ溝における絞り部の高さから上方のインキの重さと、空気溝における絞り部の上方のインキの重さとが一致するよう、インキ溝と空気溝との関係を設定することが肝要である。
【発明の効果】
【００１０】
本発明によれば、インキのボタ落ちや飛び出しを防止することができる二重ペン芯構造の万年筆を得ることができた。
【図面の簡単な説明】
【００１１】
【図１】図１は、本実施例の万年筆の要部を示す縦断面図である。
【図２】図２は、本実施例の外芯の斜視図であり、図２Ａは外芯をペン側から見た図で、図２Ｂはその反対側から見た図である。
【図３】図３は、本実施例の中芯の斜視図であり、図３Ａは中芯をペン側から見た図で、図３Ｂはその反対側から見た図である。
【図４】図４は、本実施例のペン芯にインキが流れ込む第一の状態を示す図である。
【図５】図５は、本実施例のペン芯にインキが流れ込む第二の状態を示す図である。
【図６】図６は、本実施例のペン芯にインキが流れ込んだ状態を示す図である。
【図７】図７は、従来の万年筆の要部を示す縦断面図である。
【図８】図８は、従来の中芯の斜視図であり、図８Ａは中芯をペン側から見た図で、図８Ｂは中芯をペンの反対側から見た図である。
【図９】図９は、従来のペン芯にインキが流れ込む第一の状態を示す図である。
【図１０】図１０は、従来のペン芯にインキが流れ込む第二の状態を示す図である。
【図１１】図１１は、従来のペン芯にインキが流れ込んだ状態を示す図である。
【発明を実施するための形態】
【００１２】
次に、図面を参照しながら説明を行うが、本発明は以下の実施例に限定されるものではない。
以下、図面を参照して本実施例の万年筆について説明をする。本実施例においては、ペン先がある方を前方と表現し、その反対側を後方と表現する。説明を分かり易くするために、図面中の同様の部材、同様の部分については同じ符号を付してある。
【００１３】
図１は、本実施例の万年筆の要部を示す縦断面図である。図２は、本実施例の外芯の斜視図であり、図２Ａは外芯をペン側から見た図で、図２Ｂはその反対側から見た図である。
図３は、本実施例の中芯の斜視図であり、図３Ａは中芯をペン側から見た図で、図３Ｂはその反対側から見た図である。
図１に示すように本実施例の万年筆１は、首部材２の内方に内首部材３を挿着してあり、内首部材３の内方に外芯４と内芯５からなるペン芯６を挿着してあり、ペン芯６にペン７を並設してある。
また、内首部材３の後方には、インキ（図示せず）を収容するインキタンク８が装着されている。
【００１４】
インキタンク８内のインキは、ペン７側に設けたペン芯６のインキ溝９にて該ペン７の前方に形成した切割り７ａまで移動し、先端のペン先７ｂにて筆記が行えるようになっている。本実施例のインキ溝９は、内芯５に形成した縦溝５ａと外芯４に形成した縦溝４ａと該縦溝４ａに隣設したペン７の切割り７ａとで構成される。
また、ペン芯６には空気溝１０が形成されており、密閉されたインキタンク８内のインキが減少した分、外部から空気をインキタンク８内に取り入れることができる。
本実施例の空気溝１０は、外芯４の貫通孔４ｂと内芯５との間に形成され、貫通孔４ｂと中芯５の前方のペン７側に設けた前方平地部５ｂとの間で形成される前部縦溝１０ａと、貫通孔４ｂと中芯５の後方のペン７の反対側に設けた後方平地部５ｃとの間で形成される後部縦溝１０ｂと、貫通孔４ｂと中芯５の側面に設けた切欠部５ｄとの間で形成される横溝１０ｃとで構成され、縦断面視においてクランク状に形成されている。
尚、内芯５の後方平地部５ｃの前方に膨出部５ｅを設けることで、空気溝１０の流路が狭くなる絞り部１０ｄを形成してある。また、内芯５の側面には、縦溝５ａと絞り部１０ｄとを連通させる連絡溝５ｆを形成してあり、縦溝５ａの前端部のインキが連絡溝５ｆを通って絞り部１０ｄに流れるようにしてある。
【００１５】
次に、図４から図６を用いて、本実施例の万年筆のペン芯にインキタンク内のインキが流れ込む状態について説明を行う。
図４は本実施例のペン芯にインキが流れ込む第一の状態を示し、図５はペン芯にインキが流れ込む第二の状態を示し、図６はペン芯にインキが流れ込んだ状態を示している。
図４に示すように、インキタンク８内のインキ１１は、毛管力が小さい方から大きい方へ向かって、中芯５の縦溝５ａ、外芯４の縦溝４ａ、ペン７の切割り７ａの順でインキ溝９内を流れる。
【００１６】
図５に示すように、インキ溝９のインキ１１は、ペン先７ｂに達することで毛管力が働かなくなり、中芯５の縦溝５ａから連絡溝５ｆへ流れ込み、絞り部１０ｄへ流れる。本実施例の連絡溝５ｆの毛管力は、縦溝５ａの毛管力より小さく設定しており、インキ溝９の毛管力が働かなくなった後にインキ１１が連絡溝５ｆに流れるようにしてある。
絞り部１０ｄの毛管力は、連絡溝５ｆの毛管力より大きく設定しており、且つインキ溝６におけるペン先７ｂから絞り部１０ｄの高さ迄のインキ１１ａに働く重力と一致するよう設定してある。
【００１７】
図６に示すように、図５に至った後のインキ１１は、インキ溝９における絞り部１０ｄの高さから上方のインキ１１ｂの重さと、空気溝１０における絞り部１０ｄの上方のインキ１１ｃの重さとが一致するよう該空気溝１０にインキ１１が流れ込み、インキ１１のボタ落ちがしないようインキ溝９と空気溝１０との安定した関係がとれるようにしてある。この時、空気溝１０内では、インキ溝９から連絡溝５ｆを経由して入ってくるインキ１１ｃが下（前方）から上（後方）へ向かって流れ込み、同時に、空気溝１０内にある空気１２がインキ１１ｃに押し上げられるようにしてインキタンク８内へ移動することで、インキ溝９及び空気溝１０が素早くインキ１１で満たされる。
尚、本実施例の万年筆１は、図６の状態で落下した場合においても、空気溝１０内にあるインキ１１が一旦横溝１０ｃへ移動することから、前部縦溝１０ａからのインキ１１の飛び出しを防止することができた。
【００１８】
次に、図７及び図８を用いて、従来の万年筆について説明を行う。図７は従来の万年筆の要部を示す縦断面図である。図８は従来の中芯の斜視図であり、図８Ａは中芯をペン側から見た図で、図８Ｂはその反対側から見た図である。尚、従来の万年筆１００は、中芯５０の形状が異なる以外は前記万年筆１と同様である。
万年筆１００の中芯５０は、側面に切欠部５０ｄを有しており、切欠部５０ｄは、前記万年筆１の中芯５に形成した切欠部５ｄより浅く形成され、中芯５の絞り部１０ｄと同様の毛管力が働くようにしてある。
【００１９】
次に、図９から図１１を用いて、従来の万年筆のペン芯にインキタンク内のインキが流れ込む状態について説明を行う。図９は従来のペン芯にインキが流れ込む第一の状態を示し、図１０は従来のペン芯にインキが流れ込む第二の状態を示し、図１１は従来のペン芯にインキが流れ込んだ状態を示している。
図９に示すように、インキタンク８内のインキ１１は、毛管力が小さい方から大きい方へ向かって、中芯５０の縦溝５ａ、外芯４の縦溝４ａ、ペン７の切割り７ａの順でインキ溝９内を流れる。
【００２０】
図１０に示すように、インキ溝９のインキ１１は、ペン先７ｂに達することで毛管力が働かなくなり、インキ溝９における絞り部１０ｄ（切欠部５０ｄ）の高さから上方のインキ１１ｂの重さと、空気溝１０における絞り部１０ｄの上方のインキ１１ｃの重さとが一致するよう該空気溝１０にインキタンク８内のインキ１１が流れ込む。
この時、空気溝１０内にある空気１２は、インキタンク８内のインキ１１と入れ替わるよう、気泡１２ａとなってインキタンク８内へ上昇することから移動速度が遅く、結果、空気溝１０内にインキ１１が入るのに時間が掛かった。
【００２１】
図１１に示すように、インキ溝９における絞り部１０ｄの高さから上方のインキ１１ｂの重さと、空気溝１０における絞り部１０ｄの上方のインキの重さとが一致し、且つ絞り部１０ｄの毛管力が、インキ溝６におけるペン先７ｂから絞り部１０ｄの高さ迄のインキ１１ａに働く重力と一致することで、インキ１１のボタ落ちがしないようインキ溝９と空気溝１０との安定した関係をとることができる。
従来の万年筆１００は、図１１の状態で落下した場合に、空気溝１０内にあるインキ１１が横溝１０ｃの位置にあることから、前部縦溝１０ａからインキ１１が飛び出す場合があった。
【符号の説明】
【００２２】
１，１００…万年筆、２…首部材、３…内首部材、
４…外芯、４ａ…縦溝、４ｂ…貫通孔、
５，５０…内芯、５ａ…縦溝、５ｂ…前方平地部、５ｃ…後方平地部、５ｄ，５０ｄ…切欠部、５ｅ…膨出部、５ｆ…連絡溝、
６…ペン芯、
７…ペン、７ａ…切割り、７ｂ…ペン先、
８…インキタンク、
９…インキ溝、
１０…空気溝、１０ａ…前部縦溝、１０ｂ…後部縦溝、１０ｃ…横溝、１０ｄ…絞り部、
１１…インキ、１１ａ…ペン先から絞り部の高さ迄のインキ、１１ｂ…インキ溝における絞り部の高さから上方のインキ、１１ｃ…連絡溝を経由して入ってくるインキ、
１２…空気、１２ａ…気泡。
【図１】
0006639331.tif 000002
【図２】
0006639331.tif 000003
【図３】
0006639331.tif 000004
【図４】
0006639331.tif 000005
【図５】
0006639331.tif 000006
【図６】
0006639331.tif 000007
【図７】
0006639331.tif 000008
【図８】
0006639331.tif 000009
【図９】
0006639331.tif 000010
【図１０】
0006639331.tif 000011
【図１１】
0006639331.tif 000012